(57)【要約】【課題】作業機を設置させる場合に運転席から降りなくても、運転席から周辺を確実に確認できる作業機搭載車両の周辺監視支援装置を提供する。【解決手段】作業機搭載車両に、作業機搭載車両の周辺を撮影する監視カメラ１０，１１と、運転席に配置され該カメラで撮影した画像を表示する表示装置１２とを備え、前記監視カメラは同一画面に作業機搭載車両の周辺の他に作業機の可動部状態も撮影する位置に取付けられ、監視カメラからの撮影画像信号は表示装置に画像処理装置１３を介して送られるようにし、画像処理装置に作業機の可動部状態位置情報を記憶する可動部状態位置情報記憶部１４と監視カメラで撮影した撮影画像に可動部状態位置情報画像を重畳させる合成処理部１５とを備え、作業機の前記可動部を可動させていない状態で作業機搭載車両の周辺を前記監視カメラで撮影した画像に作業機の可動部状態位置情報画像を重畳させて表示装置に表示させる。【選択図】      図１
2008074594.tif 000002
【特許請求の範囲】
【請求項１】
車両上に搭載した作業機で作業を行う作業機搭載車両に、作業機搭載車両の周辺を撮影する監視カメラと、運転席に配置され該カメラで撮影した画像を表示する表示装置とを備えた作業機搭載車両の周辺監視支援装置において、
前記監視カメラは同一画面に作業機搭載車両の周辺の他に作業機の可動部状態も撮影する位置に取付けられ、監視カメラからの撮影画像信号は表示装置に画像処理装置を介して送られるようにし、画像処理装置に作業機の可動部状態位置情報を記憶し可動部状態位置情報画像信号を出力する可動部状態位置情報記憶部と監視カメラで撮影した撮影画像に可動部状態位置情報画像を重畳させる合成処理部とを備え、
作業機の前記可動部を可動させていない状態で作業機搭載車両の周辺を前記監視カメラで撮影した画像に作業機の可動部状態位置情報画像を重畳させて表示装置に表示させるようにしたことを特徴とする作業機搭載車両の周辺監視支援装置。
【請求項２】
請求項１において、前記画像処理装置に、監視カメラからの撮影画像信号を鳥瞰画像に変換する鳥瞰画像変換部を備え、前記画像処理装置の可動部状態位置情報記憶部は作業機の可動部状態位置情報を記憶し鳥瞰画像に変換して可動部状態位置情報画像信号として出力あるいは作業機の可動部状態位置情報を鳥瞰画像に変換して記憶し可動部状態位置情報画像信号として出力するようにし、前記画像処理装置の合成処理部は鳥瞰画像変換部で変換した画像と可動部状態位置情報画像を重畳させるようにし、
作業機の前記可動部を可動させていない状態で作業機搭載車両の周辺を前記監視カメラで撮影した鳥瞰画像に作業機の可動部状態位置情報画像を重畳させて表示装置に表示させるようにしたことを特徴とする作業機搭載車両の周辺監視支援装置。
【請求項３】
請求項２において、前記監視カメラを複数配置し、前記鳥瞰画像変換部は複数の監視カメラからの撮影画像信号を合成して鳥瞰画像に変換するよう構成したことを特徴とする作業機搭載車両の周辺監視支援装置。
【請求項４】
請求項１乃至請求項３において、前記作業機の可動部は、作業機搭載車両の前後左右に配置されたアウトリガ装置の張出格納可動部であることを特徴とする作業機搭載車両の周辺監視支援装置。
【請求項５】
請求項１乃至請求項３において、前記作業機の可動部は、車両上に作業機を旋回可能に配置した旋回装置の旋回可動部であることを特徴とする作業機搭載車両の周辺監視支援装置。
【発明の詳細な説明】
【技術分野】
【０００１】
本発明は、作業機搭載車両の周辺監視装置に関するものである。
【背景技術】
【０００２】
車両の周辺監視装置として、車両の後方に車両の後方を撮影する後方監視カメラを備えるとともに、後方監視カメラで撮影した画像を表示する表示装置を運転席に備え、表示装置に後方監視カメラで撮影した画像を表示するにあたって、自車両から所定の距離位置間隔で目盛りを付したマーカーを表示装置に表示した撮影画像に重畳表示させ、後退するときに自車両に近接する後方の障害物との距離をマーカーと対比することで、自車両と障害物との干渉を目安的に判断できるようにした技術が公知である。（例えば特許文献１参照）
【特許文献１】特開２００５−１１２２６７号公報（第８頁、図１０〜図１４）
【発明の開示】
【発明が解決しようとする課題】
【０００３】
ところで、作業機搭載車両として図３に図示するような移動式クレーンが知られている。この移動式クレーンは、車両１上に旋回台２を旋回駆動可能にする旋回装置５を配置し、旋回台２に伸縮ブーム３を起伏駆動可能に配置している。そして伸縮ブーム３の基端側にウインチ（図示しない）を配置し、このウインチ（図示しない）により繰出したワイヤロープ（図示しない）を伸縮ブーム３の先端部を経過させ、ワイヤロープの先端に吊具を介して吊荷を係止させ、吊荷を吊上げて目的の位置に移動させるクレーン作業を行うようにしている。
このような移動式クレーンは、吊上げた吊荷を安定に支持するために車両１から側方に張出すアウトリガ４装置を備えている。アウトリガ装置４は、車両１の前後左右にそれぞれ４組備えられ、作業時には側方に張出されアウトリガ装置４に備えたジャッキ（図示しない）により車両１を地面に支持させるようにしている。したがって、移動式クレーンは吊荷を吊上げる際に、このアウトリガ装置４により転倒しないよう安定に支持させる機能を持たせているものである。
また、移動式クレーンは、旋回装置５により旋回台２を旋回させるようにしているが、旋回台２の後端にカウンタウエイト（錘）５ａを配置している。このカウンタウエイト５ａも伸縮ブーム３の先端部で吊上げた吊荷による転倒モーメントに対して反転倒モーメントを発生させるために配置されたものである。このカウンタウエイト５ａは、旋回台３を旋回させ伸縮ブーム３を側方に向ける際に、図３にカウンタウエイト５ａの移動軌跡を鎖線で示す通り、カウンタウエイト５ａの角部が大幅に車両１より後方および側方に突出する。
このように移動式クレーンに配置されたアウトリガ装置４および旋回装置５は、いずれもクレーン作業時に車両１から突出させるものである。したがって、オペレータは移動式クレーンで作業する際に、移動式クレーンを設置する作業現場の周辺に障害物がないことを確認し、障害物がない設置場所を作業現場として決定する必要がある。すなわち、アウトリガ装置４を張出し、旋回装置５を旋回させても支障のない設置場所を決定しなければならない。そして決定に際しては、車両１の左側方および後方は、運転席６から確認できないので、一旦運転席６から降りて確認する必要があり、煩わしいものとなっていた。
そこで前述した特開２００５−１１２２６７号公報の技術を適用し、運転席６から降りなくても確認できるようにすることが考えられる。すなわち、車両１の側方および後方に監視カメラを配置し、監視カメラで撮影した画像を運転席６に配置した表示装置で表示し、表示装置に監視カメラで撮影した画像を表示するにあたって、車両１から所定の距離位置間隔で目盛りを付したマーカーを表示装置に表示した撮影画像に重畳表示させる。そして表示装置に監視カメラで撮影された画像を表示させ、表示画像の中に障害物の存在を確認するのであるが、表示画像中の障害物が目盛りを付したマーカーにより車両１との距離は判るものの、アウトリガ４の張出し位置や、旋回装置５の旋回位置との関係が即判断できるものでない。
すなわち、アウトリガ装置４については車両１からの張出し長さを予めオペレータが覚えておき、覚えておいた長さ位置を表示装置で表示されるマーカーから確認し、その位置に障害物が存在していないか判断する必要がある。また、同様に旋回装置５についても旋回台２の旋回位置(カウンタウエイト５ａの角部の移動軌跡)を覚えておき、その位置に障害物が存在していないか判断する必要がある。また、旋回装置５の旋回位置については、旋回移動軌跡との関係であるので目盛りを付したマーカーだけでは判断しにくいところがある。
【０００４】
本発明は、このような点を考慮して作業機を設置させる場合に運転席から降りて周辺を確認しなくても、運転席から周辺を確実に確認できるようにする作業機搭載車両の周辺監視支援装置を提供することを目的とする。
【課題を解決するための手段】
【０００５】
上記の目的を達成するため、本発明の請求項１記載に係る作業機搭載車両の周辺監視支援装置は、車両上に搭載した作業機で作業を行う作業機搭載車両に、作業機搭載車両の周辺を撮影する監視カメラと、運転席に配置され該カメラで撮影した画像を表示する表示装置とを備えた作業機搭載車両の周辺監視支援装置において、前記監視カメラは同一画面に作業機搭載車両の周辺の他に作業機の可動部状態も撮影する位置に取付けられ、監視カメラからの撮影画像信号は表示装置に画像処理装置を介して送られるようにし、画像処理装置に作業機の可動部状態位置情報を記憶し可動部状態位置情報画像信号を出力する可動部状態位置情報記憶部と監視カメラで撮影した撮影画像に可動部状態位置情報画像を重畳させる合成処理部とを備え、作業機の前記可動部を可動させていない状態で作業機搭載車両の周辺を前記監視カメラで撮影した画像に作業機の可動部状態位置情報画像を重畳させて表示装置に表示させるようにしたことを特徴とするものである。
【０００６】
本発明の請求項２記載に係る作業機搭載車両の周辺監視支援装置は、請求項１において、前記画像処理装置に、監視カメラからの撮影画像信号を鳥瞰画像に変換する鳥瞰画像変換部を備え、前記画像処理装置の可動部状態位置情報記憶部は作業機の可動部状態位置情報を記憶し鳥瞰画像に変換して可動部状態位置情報画像信号として出力あるいは作業機の可動部状態位置情報を鳥瞰画像に変換して記憶し可動部状態位置情報画像信号として出力するようにし、前記画像処理装置の合成処理部は鳥瞰画像変換部で変換した画像と可動部状態位置情報画像を重畳させるようにし、作業機の前記可動部を可動させていない状態で作業機搭載車両の周辺を前記監視カメラで撮影した鳥瞰画像に作業機の可動部状態位置情報画像を重畳させて表示装置に表示させるようにしたことを特徴とするものである。
【０００７】
本発明の請求項３記載に係る作業機搭載車両の周辺監視支援装置は、請求項２において、前記監視カメラを複数配置し、前記鳥瞰画像変換部は複数の監視カメラからの撮影画像信号を合成して鳥瞰画像に変換するよう構成したことを特徴とするものである。
【０００８】
本発明の請求項４記載に係る作業機搭載車両の周辺監視支援装置は、請求項１乃至請求項３において、前記作業機の可動部は、作業機搭載車両の前後左右に配置されたアウトリガ装置の張出格納可動部であることを特徴とするものである。
【０００９】
本発明の請求項５記載に係る作業機搭載車両の周辺監視支援装置は、請求項１乃至請求項３において、前記作業機の可動部は、車両上に作業機を旋回可能に配置した旋回装置の旋回可動部であることを特徴とするものである。
【発明の効果】
【００１０】
請求項１に係る本発明の作業機搭載車両の周辺監視支援装置は、作業機の前記可動部を可動させていない状態で作業機搭載車両の周辺を監視カメラで撮影した画像に作業機の可動部状態位置情報画像を重畳させて表示装置に表示させるようにしたものであるから、監視カメラで撮影された障害物と可動部状態位置情報画像との関係を表示装置で確認でき、作業機を設置させる場合に運転席から降りて周辺を確認しなくても、運転席から周辺を確実に確認できる。しかも作業機の可動部を実際に可動しなくても障害物と可動部状態位置との関係が確認できるので、障害物に可動部が干渉すると判断されると、作業機搭載車両の設置場所を即変更できる。
【００１１】
請求項２記載に係る作業機搭載車両の周辺監視支援装置は、監視カメラで撮影した画像と可動部状態位置情報画像とを鳥瞰画像に変換して表示装置に表示させるようにしたものであるから、監視カメラで撮影された障害物と可動部状態位置情報画像との関係を鳥瞰画像で確認でき、確認判断を容易にすることができる。
【００１２】
請求項３記載に係る作業機搭載車両の周辺監視支援装置は、監視カメラを複数配置し、前記鳥瞰画像変換部は複数の監視カメラからの撮影画像信号を合成して鳥瞰画像に変換するようにしたものであるから、広範囲にわたる周辺の状況を鳥瞰画像で表示することができ、監視カメラで撮影された障害物と可動部状態位置情報画像との関係を鳥瞰画像で確認する確認判断を一層容易にすることができる。
【００１３】
請求項４記載に係る作業機搭載車両の周辺監視支援装置は、作業機の可動部としてアウトリガ装置を備えた作業機搭載車両に適用し、監視カメラで撮影された障害物とアウトリガの張出し位置情報を可動部状態位置情報画像として表示装置で表示し両者の関係を確認できるようにしたものであるから、作業機を設置させる場合に運転席から降りてアウトリガ張出し位置周辺を確認しなくても、運転席から周辺を確実に確認できる。しかもアウトリガ装置を実際に張出さなくても障害物とアウトリガ装置の張出し位置との関係が確認できる。したがってアウトリガ装置の張出し位置に障害物が干渉すると判断されると、実際にアウトリガ装置を張出していないので作業機搭載車両の設置場所を即変更できる。
【００１４】
請求項５記載に係る作業機搭載車両の周辺監視支援装置は、作業機の可動部として作業機を旋回させる旋回装置を備えた作業機搭載車両に適用し、監視カメラで撮影された障害物と旋回位置情報を可動部状態位置情報画像として表示装置で表示し両者の関係を確認できるようにしたものであるから、作業機を設置させる場合に運転席から降りて作業機の旋回位置周辺を確認しなくても、運転席から周辺を確実に確認できる。しかも作業機を実際に旋回さなくても障害物と旋回装置の旋回位置との関係が確認できる。したがって旋回装置の旋回位置に障害物が干渉すると判断されると、実際に旋回装置を旋回していないので作業機搭載車両の設置場所を即変更できる。
【発明を実施するための最良の形態】
【００１５】
以下本発明に係る作業機搭載車両の周辺監視支援装置の実施形態について、作業機搭載車両として図３に図示し説明した移動式クレーンに適用した場合の実施形態を以下に説明する。従って移動式クレーンを説明する際に上述で使用した符号１〜符号６および５ａを以下の説明でも同じものとして使用しここでの説明を省略する。
【００１６】
本発明に係る作業機搭載車両の周辺監視支援装置は、作業機搭載車両の周辺を撮影する監視カメラ１０，１１と、運転席６に配置され該カメラ１０，１１で撮影した画像を表示する表示装置１２とを備えている。監視カメラ１０は、図４に示すように、移動式クレーンの伸縮ブーム３の先端部に、車両１の左側方周辺を撮影するように取付けており、同一画面に移動式クレーンの左側方周辺の他に、車両１の左側に配置した前記アウトリガ装置４の可動部状態も撮影する位置に取付けている。監視カメラ１１は、旋回台２の左側上部に車両１の左側方周辺を撮影するように取付けている。
【００１７】
監視カメラ１０，１１からの撮影画像信号は、図１に図示するように表示装置１２に画像処理装置１３を介して送られるようにしている。画像処理装置１３は、作業機の可動部状態位置情報を記憶し可動部状態位置情報画像信号を出力する可動部状態位置情報記憶部１４と監視カメラ１０，１１で撮影した撮影画像に可動部状態位置情報画像を重畳させる合成処理部１５とを備えている。
【００１８】
可動部状態位置情報記憶部１４は、アウトリガの張出位置情報記憶部１４ａと、旋回台の旋回位置情報記憶部１４ｂとを備えている。アウトリガの張出位置情報記憶部１４ａは、各アウトリガ装置４の張出し状態位置情報を記憶するとともに、記憶した張出し状態位置情報を監視カメラ１０で撮影した画像中にその張出し状態位置情報を重畳して表示できる画像信号を出力するようになっている。すなわち、図５および図６で図示するように、アウトリガ装置４を最大に張出した状態位置情報としてのマーカーａとアウトリガ装置４を中間に張出した状態位置情報としてのマーカーｂとを、監視カメラ１０で撮影した画像中に重畳して表示できる画像信号を出力するようになっている。
【００１９】
旋回台の旋回位置情報記憶部１４ｂは、旋回装置５の旋回位置情報を記憶するもので、旋回台２のカウンタウエイト５ａの角部が旋回にともなって移動する移動軌跡を記憶しているもので、記憶した旋回位置情報を監視カメラ１１で撮影した画像中に重畳して表示できる画像信号を出力するようになっている。すなわち、図７および図８で図示するように、旋回台２を旋回した際にカウンタウエイト５の角部が移動する移動軌跡を旋回台の旋回位置情報としてマーカーｃを、監視カメラ１１で撮影した画像中に重畳して表示できる画像信号を出力するようになっている。
【００２０】
合成処理部１５は、監視カメラ１０で撮影した撮影画像に可動部状態位置情報記憶部１４のアウトリガの張出位置情報記憶部１４ａからのマーカーａとマーカーｂの画像信号を重畳して表示するよう合成処理し合成した画像信号を出力したり、監視カメラ１１で撮影した撮影画像に可動部状態位置情報記憶部１４の旋回台の旋回位置情報記憶部１４ｂからのマーカーｃの画像信号を重畳して表示するよう合成処理し合成した画像信号を出力する処理部である。
【００２１】
画像処理装置１３の入出力部には、それぞれ画像信号入力インターフェイス１６と画像信号出力インターフェイス１７を備えており、それぞれ接続される機器との入出力を適合させている。
【００２２】
なお、表示装置１２に、監視カメラ１０により撮影された画像を表示させるか、監視カメラ１１により撮影された画像を表示させるか、選択するスイッチで構成した選択手段１８を備えている。この選択手段１８からの選択信号を画像信号入力インターフェイス１６に入力し、画像信号入力インターフェイス１６では選択信号により監視カメラ１０あるいは監視カメラ１１からの画像信号を切換えて合成処理部１５に出力するようになっている。
【００２３】
また、可動部状態位置情報記憶部１４では、選択手段１８からの選択信号を受けて選択された側の合成用の画像信号（アウトリガの張出位置情報記憶部１４ａあるいは旋回台の旋回位置情報記憶部１４ｂからのいずれかの画像信号）を合成処理部１５に出力するようにしている。
【００２４】
このように構成した本発明に係る作業機搭載車両の周辺監視支援装置は、次のように作用する。オペレータは移動式クレーンを設置して作業する場所に移動させる。そして監視カメラ１０による撮影画像を表示装置１２で表示するよう選択手段１８により選択する。すると表示装置１２は、図５に図示するように、アウトリガ装置４を最大に張出した状態位置情報としてのマーカーａと、アウトリガ装置４を中間に張出した状態位置情報としてのマーカーｂとを、監視カメラ１０で撮影した車両１の左側方周辺の画像中に重畳して表示する。
【００２５】
オペレータは、表示装置１２に表示された画像中に障害物があるか否かを確認し、障害物が確認されたときに、アウトリガ装置４を最大張出し状態で作業しょうとしている場合には車両１からマーカーａ間に障害物が位置していないか確認する。また、アウトリガ装置４を中間張出し状態で作業しょうとしている場合には車両１からマーカーｂ間に障害物が位置していないか確認する。そして障害物が位置していない場合には、選択手段１８を監視カメラ１１による撮影画像を表示装置１２で表示するよう選択する。
【００２６】
すると表示装置１２は、図７に図示するように、旋回台２を旋回させたときにカウンタウエイト５の角部が移動して描く移動奇跡であるマーカーｃを、監視カメラ１１で撮影した車両１の左側方周辺の画像中に重畳して表示する。そしてマーカーｃ内に障害物が位置していない場合は、アウトリガ装置４を伸長させる。すると表示画面１２には、図８に図示するようなアウトリガ装置４を伸長させた画像が表示される。また、選択手段１８を監視カメラ１０による撮影画像を表示装置１２で表示するよう選択すると、図６に図示するようなアウトリガ装置４を伸長させた画像が表示される。
【００２７】
なお、車両１からマーカー間に障害物が存在している場合には、移動式クレーンを別設置場所に移動させて再度同じことをして確認し、安全が確認されればその場所で移動式クレーンを設置して作業を開始するものである。
【００２８】
以上のように本発明に係る作業機搭載車両の周辺監視支援装置は、作用するものであるから、監視カメラ１０で撮影された障害物とアウトリガ装置４の張出し位置情報画像との関係や、監視カメラ１１で撮影された障害物と旋回台２の旋回位置情報画像との関係を表示装置１２で確認でき、移動式クレーンを設置させる場合に運転席６から降りて周辺を確認しなくても、運転席６から周辺を確実に確認できる。しかもアウトリガ装置４や旋回台２を実際に可動しなくても障害物とアウトリガ装置４の張出し位置および旋回台の旋回位置との関係が確認できるので、障害物にそれぞれの可動部が干渉すると判断されると、移動式クレーンの設置場所を即変更できるのである。
【００２９】
また、上記実施形態では、図５および図６で図示するように、監視カメラ１０で撮影した画像中にアウトリガ装置４を最大に張出した状態位置情報としてのマーカーａとアウトリガ装置４を中間に張出した状態位置情報としてのマーカーｂとを、監視カメラ１０で撮影した画像中に重畳して表示できる画像信号を出力するようにしたが、図９に図示するように、アウトリガ装置４を最大に張出した状態位置情報としてのマーカーｄとアウトリガ装置４を中間に張出した状態位置情報としてのマーカーｅとを、監視カメラ１０で撮影した画像中に重畳して表示できる画像信号を出力するようにしてもよい。すなわち、アウトリガ装置４の張出し移動軌跡を表示させるものである。このように表示することで、前アウトリガ装置４と後アウトリガ装置４間に障害物が確認されたときに、図８による画面でマーカーｃから外れていれば、障害物が障害とならないことが確認でき、より効果的に確認判断ができるようになる。
【００３０】
更に、上記実施形態では、車両１の左側方を監視する監視カメラとして１０、１１を配置したが、車両１の後方を監視する監視カメラを配置し、同様に旋回台２の後方側での旋回位置情報を表示させるようにしてもよい。
【００３１】
次に、上記実施形態では、監視カメラ１０，１１で撮影した画像に可動部状態位置情報を重畳させるようにしたものであるが、直接監視カメラで撮影した画像を表示せずに監視カメラで撮影した画像を鳥瞰画像に変換し、変換した画像に同じく鳥瞰画像に変換した可動部状態位置情報を重畳させるようにしてもよい。以下この場合の実施形態を第２実施形態として図２に図示し以下に説明する。
【００３２】
図２に図示する本発明に係る作業機搭載車両の周辺監視装置は、図１に図示し説明したものと画像処理装置２３が異なっているが、監視カメラ１０，１１および表示装置１２については同じものであるのでこれらについての説明は省略する。画像処理装置２３は、鳥瞰画像変換部２９と、可動部状態位置情報記憶部２４と、合成処理部２５とを備えている。鳥瞰画像変換部２９は、監視カメラ１０，１１からの撮影画像は予め決めた固定角度範囲で撮影するようにしていることから、撮影された各画像信号を座標変換し合成した一つの鳥瞰画像に変換する変換部である。可動部状態位置情報記憶部２４は、アウトリガの張出位置情報記憶部２４ａと、旋回台の旋回位置情報記憶部２４ｂと、鳥瞰画像変換部２４ｃとを備えている。
【００３３】
アウトリガの張出位置情報記憶部２４ａは、各アウトリガ装置４の張出し状態位置情報を記憶している。旋回台の旋回位置情報記憶部２４ｂは、旋回装置５の旋回位置情報を記憶するもので、旋回台２のカウンタウエイト５ａの角部が旋回にともなって移動する移動軌跡を旋回位置情報として記憶している。鳥瞰画像変換部２４ｃは、アウトリガの張出位置情報記憶部２４ａで記憶した各アウトリガ装置４の張出し状態位置情報と旋回台の旋回位置情報記憶部２４ｂで記憶した旋回装置５の旋回位置情報を、前記合成した一つの鳥瞰画像に重畳して表示できる画像信号を出力するようになっている。
【００３４】
すなわち、鳥瞰画像変換部２９は、図１０に実線で図示するように移動式クレーンの鳥瞰図と移動式クレーンの左側方の周辺を鳥瞰図で表示するもので、図１０には図示していないが移動式クレーンの左側方の周辺に障害物が存在していればその障害物も鳥瞰図に現れる。また、鳥瞰画像変換部２４ｃは、図１０に図示するように、アウトリガの張出位置情報記憶部２４ａで記憶した各アウトリガ装置４の張出し状態位置情報として、アウトリガ装置４を最大に張出した状態位置のマーカーｆとアウトリガ装置４を中間に張出した状態位置のマーカーｇとを鳥瞰画像変換部２９で変換した鳥瞰図に重畳して表示できる画像信号を出力する。更に、鳥瞰画像変換部２４ｃは、図１０に図示するように、旋回台の旋回位置情報記憶部２４ｂで記憶した旋回装置５の旋回位置情報として、旋回台２を旋回した際にカウンタウエイト５ａの角部が移動する移動軌跡のマーカーｈを鳥瞰画像変換部２９で変換した鳥瞰図に重畳して表示できる画像信号を出力する。
【００３５】
合成処理部２５は、鳥瞰画像変換部２９で変換した画像と可動部状態位置情報記憶部２４の鳥瞰画像変換部２４ｃで変換した画像とを重畳して図１０に図示する画像信号を出力する。画像処理装置２３の入出力部には、それぞれ画像信号入力インターフェイス２６と画像信号出力インターフェイス２７を備えており、それぞれ接続される機器との入出力を適合させている。
【００３６】
このように構成した本発明に係る作業機搭載車両の周辺監視支援装置の第２実施形態では、次のように作用する。オペレータは移動式クレーンを設置して作業する場所に移動させる。そして監視カメラ１０、１１による撮影画像を表示装置１２で表示させる。この場合、表示装置１２には、図１０に図示するように、移動式クレーンの左側方の鳥瞰図とアウトリガ装置４を最大に張出した状態位置情報としてのマーカーｆとアウトリガ装置４を中間に張出した状態位置情報としてのマーカーｇと、旋回台２を旋回させたときにカウンタウエイト５ａの角部が移動して描く移動奇跡であるマーカーｈとが表示される。
【００３７】
オペレータは、表示装置１２に表示された画像中に障害物が存在するか否かを確認し、障害物が確認されたときに、アウトリガ装置４を最大張出し状態で作業しょうとしている場合には車両１からマーカーｆ間に障害物が存在していないか確認する。アウトリガ装置４を中間張出し状態で作業しょうとしている場合には車両１からマーカーｇ間に障害物が存在していないか確認する。またマーカーｈ内に障害物が存在するか否かも確認する。いずれにも障害物が存在していない場合は、アウトリガ装置４を伸長させる。すると表示画面１２には、図１１に図示するようなアウトリガ装置４を伸長させた画像が表示される。なお、車両１からマーカー間に障害物障害物が存在している場合には、移動式クレーンを別設置場所に移動させて再度同じことをして確認し、安全が確認されればその場所で移動式クレーンを設置して作業を開始するものである。
【００３８】
以上のように本発明に係る作業機搭載車両の周辺監視支援装置は、作用するものであるから、監視カメラ１０、１１で撮影された障害物とアウトリガ装置４の張出し位置情報画像との関係や、監視カメラ１０、１１で撮影された障害物と旋回装置５の旋回位置情報画像との関係を表示装置１２で確認でき、移動式クレーンを設置させる場合に運転席６から降りて周辺を確認しなくても、運転席６から周辺を確実に確認できる。しかもアウトリガ装置４や旋回装置５を実際に可動しなくても障害物とアウトリガ装置４の張出し位置および旋回装置５の旋回位置との関係が確認できるので、障害物にそれぞれの可動部が干渉すると判断されると、移動式クレーンの設置場所を即変更できるのである。
【００３９】
特に第２実施形態の場合は、監視カメラ１０，１１で撮影した画像と可動部状態位置情報画像とを鳥瞰画像に変換して表示装置１２に表示させるようにしたものであるから、監視カメラ１０，１１で撮影された障害物と可動部状態位置情報画像との関係を鳥瞰画像で確認でき、確認判断を容易にすることができる。
【００４０】
なお、上記第２実施形態の可動部状態位置情報記憶部２４では、各アウトリガ装置４の張出し状態位置情報をアウトリガの張出位置情報記憶部２４ａで記憶させ、鳥瞰画像変換部２４ｃで各アウトリガ装置４の張出し状態位置情報を鳥瞰画像に変換するようにしているが、アウトリガの張出位置情報記憶部２４ａで各アウトリガ装置４の張出し状態位置情報を鳥瞰画像に変換して記憶するようにしてもよい。同様に、旋回台２のカウンタウエイト５ａの角部が旋回にともなって移動する移動軌跡である旋回装置５の旋回位置情報を旋回台の旋回位置情報記憶部２４ｂで記憶させ、鳥瞰画像変換部２４ｃで旋回装置５の旋回位置情報を鳥瞰画像に変換するようにしているが、旋回台の旋回位置情報記憶部２４ｂで旋回装置５の旋回位置情報を鳥瞰画像に変換して記憶するようにしてもよい。
【００４１】
また、上記第２実施形態では、監視カメラ１０，１１を配置して鳥瞰画像に変換させるようにしたが、更に移動式クレーンの周囲に適宜監視カメラを増設して、図１２に図示するように移動式クレーン全体の鳥瞰画像ならびに移動式クレーンの全周辺の状況を鳥瞰画像で表示させるようにしてもよい。
【００４２】
更に、上記実施形態では作業機搭載車両として移動式クレーンに適用した場合について説明したが、作業機を可動させると車両から突出して車両周辺の障害物と干渉するようになる作業機搭載車両に適用されること勿論であり、高所作業車、穴掘建柱車、等の作業機に適用される。
【００４３】
次に、上記実施形態では、表示装置１２には作業機の周辺を撮影した画像にマーカーを重畳表示させるようにしたが、表示装置１２に表示される周囲の画像は、走行時に車両１の周辺を確認するためにも使用することができる。この時にマーカーを重畳表示させるとかえってマーカーが邪魔になることから、重畳表示しないようにするとよい。すなわち、オペレータによって手動操作できるスイッチを設け、このスイッチによりマーカーを重畳表示させるか否かを選択できるようにしておけば、走行中に表示装置１２にマーカーを重畳表示させないようにすることができ、表示装置１２により走行中の障害物の確認をするときに、マーカーが邪魔になるのを防止でき、設置場所を決定する時に重畳表示するように選択するようにすればよい。
【図面の簡単な説明】
【００４４】
【図１】本発明に係る作業機搭載車両の周辺監視装置を説明する説明図である。
【図２】本発明に係る作業機搭載車両の周辺監視装置の第２実施形態を説明する説明図である。
【図３】作業機搭載車両として移動式クレーンを説明する説明図である。
【図４】本発明に係る作業機搭載車両の周辺監視装置を説明する説明図で、監視カメラの配置を説明する説明図である。
【図５】本発明に係る作業機搭載車両の周辺監視装置を説明する説明図で、監視カメラによる車両の左側方画像とアウトリガ装置による可動部状態位置情報画像を重畳表示した画像を説明する説明図である。
【図６】図５の画像にアウトリガ装置を張出したときの状態を説明する説明図である。
【図７】本発明に係る作業機搭載車両の周辺監視装置を説明する説明図で、監視カメラによる車両の左側方画像と旋回台の旋回による可動部状態位置情報画像を重畳表示した画像を説明する説明図である。
【図８】図７の画像にアウトリガ装置を張出したときの状態を説明する説明図である。
【図９】本発明に係る作業機搭載車両の周辺監視装置を説明する説明図で、監視カメラによる車両の左側方画像とアウトリガ装置による可動部状態位置情報画像を重畳表示した画像を説明する説明図で、マーカーを変更した場合を説明する説明図である。
【図１０】本発明に係る作業機搭載車両の周辺監視装置を説明する説明図で、監視カメラによる車両の左側方画像とアウトリガ装置および旋回装置による可動部状態位置情報画像を鳥瞰画像に変換して重畳表示した画像を説明する説明図である。
【図１１】図１０の画像にアウトリガ装置を張出したときの状態を説明する説明図である。
【図１２】本発明に係る作業機搭載車両の周辺監視装置を説明する説明図で、監視カメラを増設して車両の全周囲と可動部状態位置情報画像を鳥瞰画像に変換して重畳表示した画像を説明する説明図である。
【符号の説明】
【００４５】
１  車両
４  アウトリガ装置
５  旋回装置
１０  監視カメラ
１１  監視カメラ
１２  表示装置
１３  画像処理装置
１５  合成処理部
１４  可動部状態位置情報記憶部
２３  画像処理装置
２４  可動部状態位置情報記憶部
２５  合成処理部
２９  鳥瞰画像変換部
【図１】
2008074594.tif 000003
【図２】
2008074594.tif 000004
【図３】
2008074594.tif 000005
【図４】
2008074594.tif 000006
【図５】
2008074594.tif 000007
【図６】
2008074594.tif 000008
【図７】
2008074594.tif 000009
【図８】
2008074594.tif 000010
【図９】
2008074594.tif 000011
【図１０】
2008074594.tif 000012
【図１１】
2008074594.tif 000013
【図１２】
2008074594.tif 000014